(57)【要約】  【課題】  より簡単に外部デバイスの情報の利用を可能にすること。  【解決手段】  パネル制御プログラムは、実行プログラム４１と外部デバイス用データ４２から構成されている。実行プログラム４１は、操作パネルの制御を実行するためのメインプログラムであり、外部デバイス用データ４２は、外部デバイスの表示情報の集合体によって構成されている。パネル制御プログラム３２では、外部デバイス用データ４２から操作パネルに表示する表示用情報を読み込み、実行プログラム４１によって表示処理を実行する。実行プログラム４１によって表示処理が実行されると、外部デバイス用データ４２から読み込んだ外部デバイス情報が操作パネルのＵＩ画面に表示される。このように、予め外部デバイスの情報を内蔵することにより、簡単にその情報を、画像形成装置のパネル制御プログラムによって表示することが可能となる。  【選択図】  図６
2007076073.tif 000002
【特許請求の範囲】
【請求項１】
所定の装置に搭載される、ユーザとのインターフェースを構成する操作パネルの表示処理を制御する操作パネルの制御装置であって、
前記所定の装置に接続される外部デバイスに関する情報を格納する外部デバイス情報格納手段と、
前記外部デバイス情報格納手段から前記外部デバイスに関する情報を読み出し、前記操作パネルに表示させる表示手段と、
を備えたことを特徴とする操作パネルの制御装置。
【請求項２】
前記所定の装置の有する定式的な処理機能に、前記外部デバイス情報格納手段に格納されている前記外部デバイスに関する情報を組み合わせて出力する出力手段を備えたことを特徴とする請求項１記載の操作パネルの制御装置。
【請求項３】
前記外部デバイスから情報を取得する情報取得手段を備え、
前記外部デバイス情報格納手段は、前記情報取得手段によって取得された情報を格納することを特徴とする請求項１または請求項２記載の操作パネルの制御装置。
【請求項４】
所定の装置に搭載される、ユーザとのインターフェースを構成する操作パネルの表示処理を制御する際に使用される操作パネルの制御方法であって、
前記所定の装置に接続される外部デバイスに関する情報を格納する第１のステップと、
前記第１のステップにより格納された前記外部デバイスに関する情報を読み出し、前記操作パネルに表示させる第２のステップと、
を備えたことを特徴とする操作パネルの制御方法。
【請求項５】
前記所定の装置の有する定式的な処理機能に、前記第１のステップにより格納された前記外部デバイスに関する情報を組み合わせて出力する第３のステップを備えたことを特徴とする請求項４記載の操作パネルの制御方法。
【請求項６】
前記外部デバイスから情報を取得する第４のステップを備え、
前記第１のステップは、前記第４のステップによって取得された情報を格納することを特徴とする請求項４または請求項５記載の操作パネルの制御方法。
【請求項７】
所定の装置に搭載される、ユーザとのインターフェースを構成する操作パネルの表示処理を制御する際に使用される操作パネルの制御プログラムであって、
前記所定の装置に接続される外部デバイスに関する情報を格納する外部デバイス情報格納機能と、
前記外部デバイス情報格納機能により格納された前記外部デバイスに関する情報を読み出し、前記操作パネルに表示させる表示機能と、
をコンピュータに実現させることを特徴とする操作パネルの制御プログラム。
【請求項８】
前記所定の装置の有する定式的な処理機能に、前記外部デバイス情報格納機能により格納された前記外部デバイスに関する情報を組み合わせて出力する出力機能をコンピュータに実現させることを特徴とする請求項７記載の操作パネルの制御プログラム。
【請求項９】
前記外部デバイスから情報を取得する情報取得機能をコンピュータに実現させ、
前記外部デバイス情報格納機能は、前記情報取得機能によって取得された情報を格納することを特徴とする請求項７または請求項８記載の操作パネルの制御プログラム。
【請求項１０】
請求項１、請求項２または請求項３記載の操作パネルの制御装置を搭載することを特徴とする画像形成装置。
【発明の詳細な説明】
【技術分野】
【０００１】
本発明は、外部デバイスと連携する装置に搭載された操作パネルの制御装置、操作パネルの制御方法、操作パネルの制御プログラム、および操作パネルの制御装置を搭載した画像形成装置に関する。
【背景技術】
【０００２】
近年、ＬＡＮ等のネットワークを介して複数の端末装置で共有できるネットワーク対応型の装置（例えば、プリンタ装置、ＦＡＸ装置、複合装置など）が普及してきている。
ネットワーク対応型の装置には、端末装置の他、各種デバイス装置とネットワークを介して接続できるものがある。
従来、このような外部デバイスとの接続が可能な装置において、外部デバイス間におけるデータの伝送を最適化する技術が下記の特許文献に提案されている。
【特許文献１】特開２００３−２０９６５９公報
【０００３】
特許文献１には、任意のデバイス間において、有効なデータの伝送を可能にする技術が提案されている。また、特許文献１には、あらゆるデバイスの組み合わせについて最適化された操作性を提供することによって装置の利用者（ユーザ）の利便性を向上させる技術が提案されている。
詳しくは、入力処理、画像処理および出力処理を実行するための各ユーザインターフェースと各処理で実行可能な機能を示すオプション情報とをネットワークを介して、他の画像形成装置へ提供する技術が提案されている。
このような技術を用いることにより、ネットワーク上の画像処理装置を利用する際に、ネットワーク上のどの画像形成装置から操作する場合でもユーザインターフェースを統一して処理することができる。
【発明の開示】
【発明が解決しようとする課題】
【０００４】
しかしながら、上述した特許文献１に記載の技術は、複数のデバイス間のデータ伝送を取り持つことを目的とし、伝送を取り持つためのデバイスに関する技術である。そのため、ＭＦＰ（複合機能プリンタ）のようにそれ自体が受診側デバイスとなり、かつユーザの直接の操作対象である装置に関しては有効でなかった。
即ち、ユーザは、ＭＦＰとその他のデバイスとの関係を取り持つ別のデバイスを操作することはできるものの、ＭＦＰ自体を操作することによって、その他デバイスの情報を利用することはできなかった。
【０００５】
そこで、本発明は、より簡単に外部デバイスの情報を利用することを可能にする操作パネルの制御装置、操作パネルの制御方法、操作パネルの制御プログラムおよび画像形成装置を提供することを目的とする。
【課題を解決するための手段】
【０００６】
請求項１記載の発明では、所定の装置に搭載される、ユーザとのインターフェースを構成する操作パネルの表示処理を制御する操作パネルの制御装置であって、前記所定の装置に接続される外部デバイスに関する情報を格納する外部デバイス情報格納手段と、前記外部デバイス情報格納手段から前記外部デバイスに関する情報を読み出し、前記操作パネルに表示させる表示手段と、を備えることにより前記目的を達成する。
請求項２記載の発明では、請求項１記載の発明において、前記所定の装置の有する定式的な処理機能に、前記外部デバイス情報格納手段に格納されている前記外部デバイスに関する情報を組み合わせて出力する出力手段を備える。
請求項３記載の発明では、請求項１または請求項２記載の発明において、前記外部デバイスから情報を取得する情報取得手段を備え、前記外部デバイス情報格納手段は、前記情報取得手段によって取得された情報を格納する。
【０００７】
請求項４記載の発明では、所定の装置に搭載される、ユーザとのインターフェースを構成する操作パネルの表示処理を制御する際に使用される操作パネルの制御方法であって、前記所定の装置に接続される外部デバイスに関する情報を格納する第１のステップと、前記第１のステップにより格納された前記外部デバイスに関する情報を読み出し、前記操作パネルに表示させる第２のステップと、を備えることにより前記目的を達成する。
請求項５記載の発明では、請求項４記載の発明において、前記所定の装置の有する定式的な処理機能に、前記第１のステップにより格納された前記外部デバイスに関する情報を組み合わせて出力する第３のステップを備える。
請求項６記載の発明では、請求項４または請求項５記載の発明において、前記外部デバイスから情報を取得する第４のステップを備え、前記第１のステップは、前記第４のステップによって取得された情報を格納する。
【０００８】
請求項７記載の発明では、所定の装置に搭載される、ユーザとのインターフェースを構成する操作パネルの表示処理を制御する際に使用される操作パネルの制御プログラムであって、前記所定の装置に接続される外部デバイスに関する情報を格納する外部デバイス情報格納機能と、前記外部デバイス情報格納機能により格納された前記外部デバイスに関する情報を読み出し、前記操作パネルに表示させる表示機能と、をコンピュータに実現させることにより前記目的を達成する。
請求項８記載の発明では、請求項７記載の発明において、前記所定の装置の有する定式的な処理機能に、前記外部デバイス情報格納機能により格納された前記外部デバイスに関する情報を組み合わせて出力する出力機能をコンピュータに実現させる。
請求項９記載の発明では、請求項７または請求項８記載の発明において、前記外部デバイスから情報を取得する情報取得機能をコンピュータに実現させ、前記外部デバイス情報格納機能は、前記情報取得機能によって取得された情報を格納する。
【０００９】
請求項１０記載の発明では、請求項１、請求項２または請求項３記載の操作パネルの制御装置を搭載することにより前記目的を達成する。
【発明の効果】
【００１０】
請求項１、請求項４、請求項７記載の発明によれば、所定の装置に接続される外部デバイスに関する情報を格納することにより、外部デバイスに関する情報を容易に操作パネルに表示させることができる。
請求項２、請求項５、請求項８記載の発明によれば、所定の装置の有する定式的な処理機能に、外部デバイスに関する情報を組み合わせることにより、容易に外部デバイスに関する情報を所定の装置の機能で利用することができる。
請求項３、請求項６、請求項９記載の発明によれば、外部デバイスから情報を取得することにより適切な情報を格納することができる。
【発明を実施するための最良の形態】
【００１１】
以下、本発明の好適な実施の形態について図１から図１５を参照して詳細に説明する。
図１は、本実施の形態に係る画像形成装置１のハードウェア構成および接続例を示した図である。
本実施の形態に係る画像形成装置１は、ＣＰＵ１１、ＲＯＭ１２、ＲＡＭ１３、ＮＶＲＡＭ１４、モデム１５、ホストＩ／Ｆ１６、パネル制御部１７、操作パネル１８、エンジン制御部１９、スキャンプリントエンジン２０、ディスクドライバ２１、記憶装置２２、通信制御部２３を備えており、これらは、バスライン２４を介して接続されている。
【００１２】
ＣＰＵ１１は、画像形成装置１の全体の制御を司る中央演算処理装置である。
ＲＯＭ１２は、プログラムコード、フォント、およびその他の静的なデータが格納されたリード・オンリ・メモリである。
ＲＡＭ１３は、一時的な記憶場所として利用されるランダム・アクセス・メモリである。
ＮＶＲＡＭ１４は、不揮発性のデータを格納する不揮発性ランダム・アクセス・メモリである。
モデム１５は、公衆回線と接続され、外部の機器との通信を可能とする。
【００１３】
ホストＩ／Ｆ１６は、セントロニクスインターフェース（パラレルインターフェース）やＲＳ−２３２Ｃ（シリアルインターフェース）等のインターフェースを用いてホスト外部の機器との通信を可能とする。ホストＩ／Ｆ１６を介して、画像形成装置１のホスト機として機能するＰＣ装置２と接続されている。
パネル制御部１７は、操作パネル１８の制御を司る。
操作パネル１８は、ユーザとのインターフェースを構成する装置であり、ＬＣＤ（液晶ディスプレイ）やＣＲＴ（ブラウン管）などの表示装置を備えている。
エンジン制御部１９は、スキャンプリントエンジン２０の制御を司る。
【００１４】
スキャンプリントエンジン２０は、イメージデータの入出力ユニットとして、紙原稿の読み取りと転写紙への印刷を実行する。
ディスクドライバ２１は、記憶装置２２の制御（駆動）装置である。
記憶装置２２は、大量のイメージデータなどの蓄積、およびデータベースの記憶（格納）を行う。
通信制御部２３は、イーサネット（登録商標）等のネットワーク３に接続され、外部の機器との通信を可能とする。
なお、本実施の形態に係る画像形成装置１は、ネットワーク３を介してＰＣ装置４と接続されている。ＰＣ装置４には、画像形成装置１の外部デバイスとして機能する装置が搭載または接続されている。
【００１５】
また、本実施の形態に係る画像形成装置１は、図１に示すような構成で限定されるものではなく、例えば、次のようなハードウェア構成を有していてもよい。
図２は、本実施の形態に係る画像形成装置１のハードウェア構成の変形例を示した図である。
なお、図１に示す構成を同様の機能を有する部位には同一の符号を付すものとする。
画像形成装置１は、図２に示すように、ネットワーク３を介して接続されたパネル操作制御装置５とエンジン制御装置６とに分けて構成するようにしてもよい。
【００１６】
図２に示すように、パネル操作制御装置５は、ＣＰＵ１１、ＲＯＭ１２、ＲＡＭ１３、ＮＶＲＡＭ１４、パネル制御部１７、操作パネル１８、通信制御部２３を備えており、これらは、バスライン２４を介して接続されている。
エンジン制御装置６は、ＣＰＵ１１、ＲＯＭ１２、ＲＡＭ１３、ＮＶＲＡＭ１４、モデム１５、ホストＩ／Ｆ１６、エンジン制御部１９、スキャンプリントエンジン２０、ディスクドライバ２１、記憶装置２２、通信制御部２３を備えており、これらは、バスライン２４を介して接続されている。
なお、通信制御部２３は、パネル操作制御装置５とエンジン制御装置６間の通信を可能にする機能を有する。
【００１７】
図３は、本実施の形態に係る画像形成装置１のソフトウェア構成を示した図である。
本実施の形態に係る画像形成装置１には、アプリケーションプログラム３１、パネル制御プログラム３２、エンジン制御プログラム３３、通信制御プログラム３４、パネルドライバ３５、エンジンドライバ３６、通信ドライバ３７、オペレーションシステム３８がインストールされている。
【００１８】
アプリケーションプログラム３１は、コピー、ファクス、プリンタなどの機能実行を管理する。
パネル制御プログラム３２は、パネルドライバ３５を介して操作パネル１８を制御し、ユーザからの情報をアプリケーションプログラム３１に伝え、アプリケーションプログラム３１からの情報をユーザに伝える。
エンジン制御プログラム３３は、エンジンドライバ３６を介してスキャンプリントエンジン２０を制御し、スキャンプリントエンジン２０からの情報をアプリケーションプログラム３１に伝え、アプリケーションプログラム３１からの情報をスキャンプリントエンジン２０に伝える。
【００１９】
通信制御プログラム３４は、通信ドライバ３７を介してネットワーク通信を制御し、ネットワーク３上の通信相手からの情報をアプリケーションプログラム３１に伝え、アプリケーションプログラム３１からの情報をネットワーク３上の通信相手に伝える。
パネルドライバ３５は、パネル制御プログラム３２の指示に基づいて、オペレーションシステム３８を介して物理操作パネル（操作パネル１８）を制御する。
エンジンドライバ３６は、エンジン制御プログラム３３の指示に基づいて、オペレーションシステムを介して物理スキャナ／プリントエンジンを制御する。
通信ドライバ３７は、通信制御プログラム３４の指示に基づいて、オペレーションシステム３８を介して物理的なネットワーク通信を制御する。
オペレーションシステム３８は、各種ドライバからの指示に基づき物理デバイスを制御し、物理デバイスの情報を各デバイスドライバに伝え、各デバイスドライバからの情報を物理デバイスに伝える。
【００２０】
次に、このように構成された本実施の形態に係る画像形成装置１におけるパネル操作の制御処理について説明する。
（第１の実施形態）
図４は、第１の実施形態に係るパネル制御プログラム３２の構成を示した図である。
図５は、第１の実施形態における操作パネル１８の表示例を示した図である。
図６は、第１の実施形態に係るパネル制御プログラム３２の制御処理の手順を示した図である。
図４に示すように第１の実施形態に係るパネル制御プログラム３２は、実行プログラム４１と外部デバイス用データ４２から構成されている。
実行プログラム４１は、操作パネル１８の制御を実行するためのメインプログラムである。
外部デバイス用データ４２は、外部デバイスの表示情報の集合体によって構成されている。
【００２１】
第１の実施形態に係るパネル制御プログラム３２では、図６に示すように、外部デバイス用データ４２から操作パネル１８に表示する表示用情報を読み込み、続いて、実行プログラム４１によって表示処理を実行する。
実行プログラム４１によって表示処理が実行されると、図５に示すように、外部デバイス用データ４２から読み込んだ外部デバイス情報が操作パネル１８のＵＩ（ユーザインターフェース）画面に表示される。
このように、第１の実施形態によれば、予め外部デバイスの情報（外部デバイス用データ４２）を内蔵することにより、簡単にその情報を、画像形成装置１のパネル制御プログラム３２によって表示することが可能となる。
【００２２】
（第２の実施形態）
図７は、第２の実施形態に係るパネル制御プログラム３２の構成を示した図である。
図８は、第２の実施形態における操作パネル１８の表示例を示した図である。
図９は、第２の実施形態に係るパネル制御プログラム３２の制御処理の手順を示した図である。
図７に示すように第２の実施形態に係るパネル制御プログラム３２は、実行プログラム４１、外部デバイス用提供情報メニューデータ４３、固定ＵＩデータ４４から構成されている。
実行プログラム４１は、操作パネル１８の制御を実行するためのメインプログラムである。
外部デバイス用提供情報メニューデータ４３は、外部デバイス提供情報メニューデータ（情報）の集合体によって構成されている。
固定ＵＩデータ４４は、外部デバイスに依存しない情報（データ）の集合体によって構成されている。
【００２３】
第２の実施形態に係るパネル制御プログラム３２では、図９に示すように、外部デバイス用提供情報メニューデータ４３から操作パネル１８に表示するメニュー表示用情報を読み込み、続いて、固定ＵＩデータ４４から操作パネル１８に表示するメニュー項目選択ボタンおよび機能選択ボタンの表示情報を読み込む。
実行プログラム４１によって表示処理が実行されると、図８に示すように、外部デバイス情報メニュー、機能選択ボタンおよびメニュー項目選択ボタンが操作パネル１８のＵＩ画面に表示される。
【００２４】
ユーザは、操作パネル１８の表示内容から、メニュー項目および機能を選択する。
操作パネル１８は、これらのユーザの選択を受け付けると、受け付けた選択情報（データ）を実行プログラム４１に与える。
実行プログラム４１は、受け付けた選択情報（データ）に基づいて処理を実行する。
ここでは、選択された（受け付けられた）メニュー項目の情報を、選択された（受け付けられた）機能に組み込んで（組み合わせて）出力処理（出力指示）を実行する。
本実施の形態では、出力処理（出力指示）は、機能実行指示（命令）をアプリケーション５１に送信することによって行われる。
アプリケーション５１は、機能実行指示に従って所定の処理を実行する。
【００２５】
このように、第２の実施形態によれば、外部デバイス７の情報についても簡単に出力指示（機能実行指示）を出すことができる。
第２の実施形態によれば、画像形成装置１の定式的な機能と外部デバイス情報を、画像形成装置１のパネル制御プログラム３２において組み合わせることにより、簡単に外部デバイスの情報を画像形成装置１の機能で利用することが可能となる。
【００２６】
（第３の実施形態）
図１０は、第３の実施形態に係るパネル制御プログラム３２の構成を示した図である。
図１１は、第３の実施形態における操作パネル１８の表示例を示した図である。
図１２は、第３の実施形態に係るパネル制御プログラム３２の制御処理の手順を示した図である。
図１０に示すように第３の実施形態に係るパネル制御プログラム３２は、実行プログラム４１および可変ＵＩデータ４５から構成されている。
また、可変ＵＩデータ４５は、通信システム８を介して接続された外部デバイス７内のデータ７１に基づいて書き換えることができるように構成されている。
実行プログラム４１は、操作パネル１８の制御を実行するためのメインプログラムである。
可変ＵＩデータ４５は、外部デバイス７内のデータ７１から取り込まれた情報（データ）の集合体によって構成されている。
【００２７】
第３の実施形態に係るパネル制御プログラム３２では、図１１に示すように、通信システム８を介して外部デバイス７に格納されているデータ７１、即ち操作パネル１８に表示する表示用情報を可変ＵＩデータ４５として読み込む。続いて、可変ＵＩデータ４５から操作パネル１８に表示する表示用情報を読み込み、実行プログラム４１によって表示処理を実行する。
実行プログラム４１によって表示処理が実行されると、図１１に示すように、外部デバイス７から読み込んだ（取得した）外部デバイス情報が操作パネル１８のＵＩ画面に表示される。
【００２８】
このように、第３の実施形態によれば、外部デバイス７の情報を動的に取り込むことにより、複数の任意の外部デバイス情報を画像形成装置１のパネル制御プログラム３２によって簡単に表示することが可能となる。
これにより、複数種類のそれぞれ異なる外部デバイス７についてもプログラムを変更することなく、その外部デバイス７の情報を簡単に表示することができる。
【００２９】
（第４の実施形態）
図１３は、第４の実施形態に係るパネル制御プログラム３２の構成を示した図である。
図１４は、第４の実施形態における操作パネル１８の表示例を示した図である。
図１５は、第４の実施形態に係るパネル制御プログラム３２の制御処理の手順を示した図である。
図１３に示すように第４の実施形態に係るパネル制御プログラム３２は、実行プログラム４１、固定ＵＩデータ４４、可変ＵＩメニューデータ４６から構成されている。
また、可変ＵＩメニューデータ４６は、通信システム８を介して接続された外部デバイス７内の提供情報メニューデータ７２に基づいて書き換えることができるように構成されている。
実行プログラム４１は、操作パネル１８の制御を実行するためのメインプログラムである。
固定ＵＩデータ４４は、外部デバイス７に依存しない情報（データ）の集合体によって構成されている。
可変ＵＩメニューデータ４６は、外部デバイス７内の提供情報メニューデータ７２から取り込まれた情報（データ）の集合体によって構成されている。
【００３０】
第４の実施形態に係るパネル制御プログラム３２では、図１５に示すように、通信システム８を介して外部デバイス７に格納されている提供情報メニューデータ７２、即ち操作パネル１８に表示するメニュー表示用情報を可変ＵＩメニューデータ４６として読み込む。
続いて、可変ＵＩメニューデータ４６から操作パネル１８に表示する表示用情報を読み込み、固定ＵＩデータ４４から操作パネル１８に表示するメニュー項目選択ボタンおよび機能選択ボタンの表示情報を読み込む。
実行プログラム４１によって表示処理が実行されると、図１４に示すように、外部デバイス情報メニュー、機能選択ボタンおよびメニュー項目選択ボタンが操作パネル１８のＵＩ画面に表示される。
なお、機能選択ボタンは、外部デバイス７に依存しないボタンとして表示される。
【００３１】
ユーザは、操作パネル１８の表示内容から、メニュー項目および機能を選択する。
操作パネル１８は、これらのユーザの選択を受け付けると、受け付けた選択情報（データ）を実行プログラム４１に与える。
実行プログラム４１は、受け付けた選択情報（データ）に基づいて処理を実行する。
ここでは、選択された（受け付けられた）メニュー項目の情報を、選択された（受け付けられた）機能に組み込んで（組み合わせて）出力処理（出力指示）を実行する。
本実施の形態では、出力処理（出力指示）は、機能実行指示（命令）をアプリケーション５１に送信することによって行われる。
アプリケーション５１は、機能実行指示に従って所定の処理を実行する。
【００３２】
このように、第４の実施形態によれば、画像形成装置１のパネル制御プログラム３２が動的に取り込んだ外部デバイス情報を、画像形成装置１の定式的な機能と組み合わせることによって簡単に任意の複数の外部デバイス情報を画像形成装置１の機能で利用することが可能となる。
これにより、複数種類のそれぞれ異なる外部デバイス７についてもプログラムを変更することなく、その外部デバイス７の情報についても簡単に出力指示（機能実行指示）を出すことができる。
【００３３】
また、上述した第１〜第４の実施形態では、画像形成装置１に搭載された操作パネル１８の制御方法について説明したが、操作パネル１８は、画像形成装置１にのみ搭載されるものではない。例えば、家電に搭載するようにしてもよい。
【図面の簡単な説明】
【００３４】
【図１】本実施の形態に係る画像形成装置のハードウェア構成および接続例を示した図である。
【図２】本実施の形態に係る画像形成装置のハードウェア構成の変形例を示した図である。
【図３】本実施の形態に係る画像形成装置のソフトウェア構成を示した図である。
【図４】第１の実施形態に係るパネル制御プログラムの構成を示した図である。
【図５】第１の実施形態における操作パネルの表示例を示した図である。
【図６】第１の実施形態に係るパネル制御プログラムの制御処理の手順を示した図である。
【図７】第２の実施形態に係るパネル制御プログラムの構成を示した図である。
【図８】第２の実施形態における操作パネルの表示例を示した図である。
【図９】第２の実施形態に係るパネル制御プログラムの制御処理の手順を示した図である。
【図１０】第３の実施形態に係るパネル制御プログラムの構成を示した図である。
【図１１】第３の実施形態における操作パネルの表示例を示した図である。
【図１２】第３の実施形態に係るパネル制御プログラムの制御処理の手順を示した図である。
【図１３】第４の実施形態に係るパネル制御プログラムの構成を示した図である。
【図１４】第４の実施形態における操作パネルの表示例を示した図である。
【図１５】第４の実施形態に係るパネル制御プログラムの制御処理の手順を示した図である。
【符号の説明】
【００３５】
１  画像形成装置
２  ＰＣ装置
３  ネットワーク
４  ＰＣ装置
５  パネル操作制御装置
６  エンジン制御装置
７  外部デバイス
８  通信システム
１１  ＣＰＵ
１２  ＲＯＭ
１３  ＲＡＭ
１４  ＮＶＲＡＭ
１５  モデム
１６  ホストＩ／Ｆ
１７  パネル制御部
１８  操作パネル
１９  エンジン制御部
２０  スキャンプリントエンジン
２１  ディスクドライバ
２２  記憶装置
２３  通信制御部
２４  バスライン
３１  アプリケーションプログラム
３２  パネル制御プログラム
３３  エンジン制御プログラム
３４  通信制御プログラム
３５  パネルドライバ
３６  エンジンドライバ
３７  通信ドライバ
３８  オペレーションシステム
４１  実行プログラム
４２  外部デバイス用データ
４３  外部デバイス用提供情報メニューデータ
４４  固定ＵＩデータ
４５  可変ＵＩデータ
４６  可変ＵＩメニューデータ
５１  アプリケーション
７１  データ
７２  提供情報メニューデータ
【図１】
2007076073.tif 000003
【図２】
2007076073.tif 000004
【図３】
2007076073.tif 000005
【図４】
2007076073.tif 000006
【図５】
2007076073.tif 000007
【図６】
2007076073.tif 000008
【図７】
2007076073.tif 000009
【図８】
2007076073.tif 000010
【図９】
2007076073.tif 000011
【図１０】
2007076073.tif 000012
【図１１】
2007076073.tif 000013
【図１２】
2007076073.tif 000014
【図１３】
2007076073.tif 000015
【図１４】
2007076073.tif 000016
【図１５】
2007076073.tif 000017